(57)【要約】【課題】携帯情報端末の操作パネル等に用いられる導光機能付き可動接点体に関し、均一な照光が可能なものを提供することを目的とする。【解決手段】円形ドーム状の可動接点３を下面に備えると共に上記可動接点３に対応する押圧突起３１を上面に備えたベースシート１に対し、上記可動接点３位置に対応する位置に照光部７を備えた透光性を有した導光シート５が上記ベースシート１の上に配されて構成された導光機能付き可動接点体において、押圧突起３１の上面に黒色塗膜３２を設けた構成とした。【選択図】図１
2011150869.tif 000002
【特許請求の範囲】
【請求項１】
可動接点を下面に備えると共に上記可動接点に対応する押圧突起を上面に備えたベースシートに対し、上記可動接点位置に対応する位置に照光部を備えた透光性を有した導光シートが上記ベースシートの上に配されて構成された導光機能付き可動接点体であって、上記押圧突起の少なくとも上面が黒色もしくは暗色系の色になされていることを特徴とする導光機能付き可動接点体。
【発明の詳細な説明】
【技術分野】
【０００１】
本発明は、携帯電話機や携帯情報端末等の入力操作部に用いられる導光機能付き可動接点体に関するものである。
【背景技術】
【０００２】
携帯電話機や携帯用情報端末等の操作パネルには、絶縁フィルム製のシートに金属板製のドーム状可動接点が保持された所謂可動接点体を、固定接点を備えた配線基板上に装着して構成する形態のものが多く用いられており、さらに近年では、操作パネルの操作ボタン部分を照光するための導光機能を備えた可動接点体も増加している。
【０００３】
このような従来の導光機能付き可動接点体について、図４〜図６を用いて説明する。
【０００４】
図４は従来の導光機能付き可動接点体の断面図であり、同図において、１は、可撓性を有した絶縁フィルムからなるベースシートで、下面に粘着剤２を備え、上方凸形の円形ドーム状をした弾性金属薄板からなる可動接点３の上面中央部を上記粘着剤２で粘着保持している。
【０００５】
４は、円柱状をした絶縁樹脂からなる押圧突起で、可動接点３のドーム状頂点部に対応する位置のベースシート１の上面箇所に固着されている。この押圧突起４は、後述する電子機器の操作ボタン２２が端押しされたり斜め押しされたりした場合でも、可動接点３のドーム状頂点部に押圧力が加わって操作感触を安定したものとするために設けられている。
【０００６】
５は、ベースシート１とほぼ同じ形状に形成され、透光性と可撓性を有した絶縁フィルムからなる導光シートで、ベースシート１上に配されて外縁部下面が粘着剤６でベースシート１上面に粘着されていると共に、可動接点３の位置に対応した下面位置には照光部７が設けられている。
【０００７】
このように従来の導光機能付き可動接点体は構成されており、次にこの導光機能付き可動接点体を用いて構成した操作パネルについて説明する。
【０００８】
図５は従来の導光機能付き可動接点体を用いて構成した操作パネルの要部断面図である。
【０００９】
１１は、上面に中央固定接点１２と外側固定接点１３が対になって配設されている配線基板である。そして、この配線基板１１上には、ＬＥＤ１４が実装されており、その発光部１４Ａは配線基板１１面に平行に向けられている。
【００１０】
導光機能付き可動接点体は、この配線基板１１の対となった固定接点１２、１３の位置に可動接点３を対応させるようにしてベースシート１下面の粘着剤２で配線基板１１上に貼り付け装着されている。この装着状態で、可動接点３の外周下端が外側固定接点１３上に載り、ドーム状頂点部下面が中央固定接点１２と間隔をあけて対向し、また、ＬＥＤ１４の発光部１４Ａは導光シート５の側端面と対向している。
【００１１】
２１は電子機器のパネルケースで、導光機能付き可動接点体の可動接点３位置に対応した位置に操作ボタン２２が配されている。操作ボタン２２は、パネルケース２１のボタン孔２１Ａから操作部２２Ａを突出させ、下方の押圧部２２Ｂ下面が押圧突起４に対応した位置の導光シート５の上面箇所に当接している。
【００１２】
このように構成された操作パネルにおいて、操作ボタン２２の操作部２２Ａを押圧すると、押圧部２２Ｂが導光シート５と押圧突起４およびベースシート１を介して下方の可動接点３のドーム状頂点部を押圧する。その可動接点３に加わる押圧力が所定の押圧力を超えると、可動接点３は節度感を伴って弾性反転し、ドーム状頂点部下面が中央固定接点１２に接触し、可動接点３を介して外側固定接点１３と中央固定接点１２との間が電気的に導通して、スイッチオンとなる。
【００１３】
そして、操作ボタン２２の操作部２２Ａに加えていた押圧力を解除すると、可動接点３が節度感を伴って元の上方凸形のドーム状に弾性復帰し、その復帰力によりベースシート１、押圧突起４および導光シート５を介して操作ボタン２２が上方に押し戻され、ドーム状頂点部下面が中央固定接点１２から離れて外側固定接点１３と中央固定接点１２との間が絶縁状態となり、スイッチオフとなる。
【００１４】
また、ＬＥＤ１４の発光部１４Ａから光が発せられると、その光が、発光部１４Ａに対向した導光シート５の側端面から導光シート５内に入射され、その導光シート５内を伝播していく光が、可動接点３の位置に対応して設けられた照光部７で反射および散乱されて操作ボタン２２を下方から照射し操作ボタン２２が照光されるものであった。
【００１５】
なお、この出願の発明に関連する先行技術文献情報としては、例えば、特許文献１が知られている。
【先行技術文献】
【特許文献】
【００１６】
【特許文献１】特開２００９−４３６５３号公報
【発明の概要】
【発明が解決しようとする課題】
【００１７】
しかしながら、上記従来の導光機能付き可動接点体においては、ベースシート１に固着された押圧突起４の上面と導光シート５の下面とが密着状態となり、図６の導光シート内を伝播する光を説明する図に示すように、ＬＥＤ１４から導光シート５内に入射した光は導光シート５内を伝播していくが、導光シート５が押圧突起４に接した部分では、押圧突起４内に入射する光が生じ、押圧突起４内に入射した光の一部は押圧突起４内やそれよりも下方に配置された部材によって反射されて戻っていき、再び導光シート５内に入射する。そのため、照光部７で反射された光と上記の戻ってきた光とが一緒になって操作ボタン２２を照射する状態になって、照光部７が設けられた部分のうち押圧突起４に密着した部分については操作ボタン２２を照光する光量が増し、操作ボタン２２の一部が異常に明るくなって不均一に照光されるという課題があった。
【００１８】
本発明は、このような従来の課題を解決するものであり、均一な照光が可能な導光機能付き可動接点体を提供することを目的とする。
【課題を解決するための手段】
【００１９】
上記目的を達成するために本発明は、以下の構成を有するものである。
【００２０】
本発明の請求項１に記載の発明は、可動接点を下面に備えると共に上記可動接点に対応する押圧突起を上面に備えたベースシートに対し、上記可動接点位置に対応する位置に照光部を備えた透光性を有した導光シートが上記ベースシートの上に配されて構成された導光機能付き可動接点体であって、上記押圧突起の少なくとも上面が黒色もしくは暗色系の色になされていることを特徴とする導光機能付き可動接点体としたものであり、導光シート下面と押圧突起上面が密着しても押圧突起内に入射する光が抑制されて押圧突起内からの余分な反射光が低減し、これによって押圧突起に接した導光シート部分が異常に明るくなることがなく、均一な照光が可能な導光機能付き可動接点体を提供することができるという作用を有する。
【発明の効果】
【００２１】
以上のように本発明によれば、均一な照光が可能な導光機能付き可動接点体を実現することができるという有利な効果が得られる。
【図面の簡単な説明】
【００２２】
【図１】本発明の一実施の形態による導光機能付き可動接点体の断面図
【図２】同導光機能付き可動接点体を用いて構成した操作パネルの要部断面図
【図３】同導光機能付き可動接点体の導光シート内を伝播する光を説明する図
【図４】従来の導光機能付き可動接点体の断面図
【図５】同導光機能付き可動接点体を用いて構成した操作パネルの要部断面図
【図６】同導光機能付き可動接点体の導光シート内を伝播する光を説明する図
【発明を実施するための形態】
【００２３】
以下、本発明の実施の形態について、図１〜図３を用いて説明する。なお、従来の技術の項で説明した構成と同一構成の部分には同一符号を付して、詳細な説明を簡略化する。
【００２４】
（実施の形態）
図１は本発明の一実施の形態による導光機能付き可動接点体の断面図であり、同図において、１は下面に粘着剤２を備えたベースシートで、上記粘着剤２で上方凸形の円形ドーム状をした可動接点３を粘着保持していると共に、上記可動接点３のドーム状頂点部に対応したベースシート１の上面箇所には円柱状の押圧突起３１が固着されている。そして、ベースシート１の上には、ベースシート１とほぼ同じ形状に形成された透光性と可撓性を有した導光シート５が配され、導光シート５の外縁部下面が粘着剤６でベースシート１上に粘着固定されている。導光シート５には、可動接点３位置に対応した下面位置それぞれに照光部７が点在状態に設けられている。これらは、従来のものと同様である。
【００２５】
しかしながら、本実施形態の導光機能付き可動接点体は、押圧突起３１の上面が黒色になされている。つまり、この押圧突起３１としては、ポリエチレンテレフタレート（ＰＥＴ）樹脂薄板の表面に黒色塗料を印刷して黒色塗膜３２を設けたのち、打抜加工を施して円柱状の押圧突起３１に形成し、その黒色塗膜３２を上側に位置させてベースシート１上面に固着している。ここに、この黒色塗膜３２の光の反射率は、１０％以下になされている。なお、押圧突起３１の材質については上記のＰＥＴ樹脂のみに限らず、熱可塑性ウレタン（ＴＰＵ）樹脂等、他の樹脂などでも良い。
【００２６】
次に、上記導光機能付き可動接点体を用いて構成した操作パネルについて説明する。
【００２７】
図２は本実施形態の導光機能付き可動接点体を用いて構成した操作パネルの要部断面図である。
【００２８】
１１は、対となる中央固定接点１２と外側固定接点１３が、複数対、上面に配設された配線基板である。さらに、配線基板１１上にはＬＥＤ１４が実装されており、その発光部１４Ａは配線基板１１面に平行に向けられている。
【００２９】
導光機能付き可動接点体は、対となる中央固定接点１２と外側固定接点１３との位置に可動接点３を対応させて、つまり可動接点３の外周下端が外側固定接点１３上に載り、ドーム状頂点部下面が中央固定接点１２と間隔をあけて対向状態になるようにして、ベースシート１下面の粘着剤２で配線基板１１上に貼り付け装着されている。そして、ＬＥＤ１４の発光部１４Ａは導光シート５の側端面と近接した対向状態になっている。
【００３０】
２１は電子機器のパネルケースで、押圧突起３１の位置に対応した上方位置に操作ボタン２２が配されており、操作ボタン２２は、パネルケース２１のボタン孔２１Ａから操作部２２Ａを突出させ、押圧部２２Ｂ下面が押圧突起３１に対応した位置の導光シート５の上面箇所に当接している。
【００３１】
このように構成された操作パネルのスイッチ動作は従来のものと同様であるため簡単に説明する。
【００３２】
まず、操作ボタン２２の操作部２２Ａを押圧すると、下方の可動接点３のドーム状頂点部に押圧力が加わり、その押圧力が所定の押圧力を超えると、可動接点３は節度感を伴って弾性反転し、可動接点３を介して外側固定接点１３と中央固定接点１２との間が電気的に導通し、スイッチオンとなる。
【００３３】
次に、操作ボタン２２の操作部２２Ａに加えていた押圧力を解除すると、可動接点３が節度感を伴って元の状態に弾性復帰し、その復帰力により操作ボタン２２が上方に押し戻され、外側固定接点１３と中央固定接点１２との間が絶縁され、スイッチオフとなる。
【００３４】
ＬＥＤ１４の発光部１４Ａから光が発せられると、その光は、発光部１４Ａに近接状態で対向した導光シート５の側端面から導光シート５内に入射される。そして、導光シート５内を伝播していく光が、可動接点３の位置に対応して設けられた照光部７で反射および散乱されて操作ボタン２２を下方から照射し、操作ボタン２２が照光される。
【００３５】
ここで、この操作ボタン２２が照光される状態を図３の導光シート内を伝播する光を説明する図により説明する。
【００３６】
図３に示したように、導光シート５の側端面から入射した光は、矢印付き線で示すように導光シート５内を反射しながら伝播し、照光部７に至った光は照光部７で反射および散乱されて導光シート５の上方へ進み、操作ボタン２２を下方から照射する。
【００３７】
また、導光シート５下面が押圧突起３１上面に接した部分では、導光シート５下面で反射する光と導光シート５の下面から押圧突起３１内に入射する光が生じるが、押圧突起３１の上面には黒色塗膜３２が設けられているため、上記押圧突起３１内に入射した光はほとんど吸収されて、押圧突起３１の上方側には反射しない。
【００３８】
従って、導光シート５下面の押圧突起３１の上面に接した部分においても、押圧突起３１に接していない部分と変わらない光量で操作ボタン２２を下方から照光することになる。
【００３９】
このように本実施の形態によれば、導光シート５下面と押圧突起３１上面が密着しても、黒色塗膜３２によって押圧突起３１内に入射した光は吸収される。このため、余分な反射光が抑制されて、導光シート５の押圧突起３１に接した部分と押圧突起３１に接していない部分との明るさの差が少ないものにでき、操作ボタン２２の均一な照光が可能な導光機能付き可動接点体を提供することができる。
【００４０】
そして、黒色塗膜３２自体の反射率は１０％以下になされているため、反射抑制の効果が大きく、またその値は小さいほど好ましい。
【００４１】
なお、押圧突起３１上面の黒色塗膜３２は印刷形成する形態を実施例として説明したが、印刷形成するもののみには限られず、メッキで形成したり、黒色薄膜を接着して形成したりしても良い。
【００４２】
また、押圧突起３１の高さで生じた導光シート５とベースシート１との間の空間部分に漏れた光がその空間部分を進んで押圧突起３１内に入射し、円柱状の押圧突起３１がレンズ効果を生じて、押圧突起３１に近接したベースシート１上面位置が照射されて明るくなり、それによって操作ボタン２２の照光の不均一さが生じることもあるが、その場合は、押圧突起３１の外周面にも黒色塗膜を設けると良い。
【００４３】
さらに、押圧突起３１の黒色塗膜３２に換えて、押圧突起３１自体の材質を黒色部材としてもよく、その場合は黒色塗膜３２を形成する必要がないので押圧突起３１の製造工程を簡素なものにできる。また、黒色塗膜３２の代わりに暗色系の色の塗膜などを設けたり、押圧突起３１自体の材質を暗色系のものとしても同等な効果が期待できる。
【産業上の利用可能性】
【００４４】
本発明による導光機能付き可動接点体は、押圧突起に接した導光シート部分が異常に明るくなることがなく、均一な照光が可能なものを提供することができ、主に携帯電話機や携帯情報端末の操作パネルを構成する際等に有用である。
【符号の説明】
【００４５】
１  ベースシート
２，６  粘着剤
３  可動接点
５  導光シート
７  照光部
１１  配線基板
１２  中央固定接点
１３  外側固定接点
１４  ＬＥＤ
１４Ａ  発光部
２１  パネルケース
２１Ａ  ボタン孔
２２  操作ボタン
２２Ａ  操作部
２２Ｂ  押圧部
３１  押圧突起
３２  黒色塗膜
【図１】
2011150869.tif 000003
【図２】
2011150869.tif 000004
【図３】
2011150869.tif 000005
【図４】
2011150869.tif 000006
【図５】
2011150869.tif 000007
【図６】
2011150869.tif 000008